(57)【要約】【課題】  着物の着付けに使用する各種小物を簡便に収納することができる使い勝手のよい和装小物入れを提供する。【解決手段】  着物ハンガー６０に吊るした小物入れ１０に、着付けに必要な多数の小物をまとめて収納することとしたので、着付けの準備や後片付け，小物の品揃えのチェックなどを容易に確実に行うことができ、着付け作業をスムーズに行うことができる。また、吊り紐を、小物入れ１０の上側と、裏面にも設けることで、小物入れ１０を折りたたんで簡単に収納することができる。小物入れ１０を透明としたので、着物ハンガー６０に掛けられている着物５０や、小物入れ１０の各ポケットに収納されている小物が透けて見えるため、小物の収納の様子をすぐに知ることができる。【選択図】図１
0003232564.tif 000002
【実用新案登録請求の範囲】
【請求項１】
着物の小物を収納する和装小物入れであって、
複数段に分割して設けられた多数の小物を収納するポケット，
着物ハンガーに吊り下げるための吊り紐，
を備えており、
前記吊り紐によって着物ハンガーに吊下げたときに、着物ハンガーの着物ないし長襦袢の少なくとも一部を覆う大きさに形成されており、
前記分割された段ごとに折りたたむことができることを特徴とする和装小物入れ。
【請求項２】
前記着物ハンガーのフックに吊下げるための吊り紐を上端及び裏面にそれぞれ設けるとともに、前記段ごとに折りたたんだときに、裏面の吊り紐を前記着物ハンガーのフックに掛けることを特徴とする請求項１記載の和装小物入れ。
【請求項３】
収納する小物を示す表示をそれぞれ前記ポケットに付したことを特徴とする請求項１又は２記載の和装小物入れ。
【請求項４】
全体を透明な素材で形成したことを特徴とする請求項１〜３のいずれか一項に記載の和装小物入れ。
【請求項５】
足袋，肌着，裾よけ，腰紐，帯枕，伊達締め，衿芯，帯板，帯揚げ，帯締め，扇子，補正具を収納するポケットを備えたことを特徴とする請求項１〜４のいずれかに記載の着物カバー。
【考案の詳細な説明】
【技術分野】
【０００１】
本考案は、着物（和服）の着付けに使用する帯，帯締め，足袋などの和装小物を収納するための和装小物入れの改良に関する。
【背景技術】
【０００２】
着物（和服）の着付けを行う際に使用する帯などの小物は多数あり、これらを効率よく収納する従来技術としては、本願出願人による下記特許文献１記載の「着物カバー」がある。これは、着物や長襦袢の衿の状態を保ちながら保管して、能率的で美しい仕上がりの着付け作業を行うことを目的としたもので、着物カバーは、カバー本体，小物ケース，収納袋によって構成されている。カバー本体の略中央には、着物や長襦袢の衿を露出するための開口部が設けられており、その下方には、ポケットが設けられている。前記小物ケースには、複数の着付け用小物を収納するポケットが更に形成されている。この小物ケースに所定の小物を収納した状態で、小物収納側が表になるよう三つ折りにして前記ポケットに入れると、小物ケースの重さで開口部が引き下げられ、長襦袢の衿が着付けに最適な形状に整えられるとともに、その状態を保ちながら保管することができる。
【先行技術文献】
【特許文献】
【０００３】
【特許文献１】実用新案登録第３０９７２６４号公報
【考案の概要】
【考案が解決しようとする課題】
【０００４】
ところで、上述した背景技術の着物カバーも非常に効果的ではあるが、ハンガーに吊り掛けられた着物及び長襦袢の全体を覆うことから、保管には大変好都合ではあるが、もっと簡単に小物を収納することができる使い勝手のよいものがあると便利である。
【０００５】
本考案は、以上のような点に着目したもので、着物の着付けに使用する各種小物を簡便に収納することができる使い勝手のよい和装小物入れを提供することを、その目的とする。
【課題を解決するための手段】
【０００６】
本考案は、着物の小物を収納する和装小物入れであって、複数段に分割して設けられた多数の小物を収納するポケット，着物ハンガーに吊り下げるための吊り紐，を備えており、前記吊り紐によって着物ハンガーに吊下げたときに、着物ハンガーの着物ないし長襦袢の少なくとも一部を覆う大きさに形成されており、前記分割された段ごとに折りたたむことができることを特徴とする。
【０００７】
主要な形態の一つによれば、前記着物ハンガーのフックに吊下げるための吊り紐を上端及び裏面にそれぞれ設けるとともに、前記段ごとに折りたたんだときに、裏面の吊り紐を前記着物ハンガーのフックに掛けることを特徴とする。他の形態によれば、収納する小物を示す表示をそれぞれ前記ポケットに付したことを特徴とする。あるいは、全体を透明な素材で形成したことを特徴とする。更には、足袋，肌着，裾よけ，腰紐，帯枕，伊達締め，衿芯，帯板，帯揚げ，帯締め，扇子，補正具を収納するポケットを備えたことを特徴とする。本考案の前記及び他の目的，特徴，利点は、以下の詳細な説明及び添付図面から明瞭になろう。
【考案の効果】
【０００８】
本考案によれば、多数の小物を収納するポケットを複数段に分割し、段ごとに折りたたむようにしたので、着物の着付けに使用する各種小物を簡便に収納することができ、使い勝手のよい和装小物入れを提供することができる。
【図面の簡単な説明】
【０００９】
【図１】本考案の和装小物入れを示す正面図である。
【図２】(A)は小物入れを着物ハンガーに掛ける様子を示し、(B)は掛けた小物入れに小物を収納した状態を示す図である。
【図３】(A)は図２(B)を側面から見た様子を示し、(B)及び(C)は小物入れを折り畳む様子を示す図である。(D)ないし(E)は小物入れのみを収納する場合を示す。
【考案を実施するための形態】
【００１０】
以下、本考案を実施するための最良の形態を、実施例に基づいて詳細に説明する。
【実施例１】
【００１１】
以下、本考案の実施の形態について詳細に説明する。図１(A)には、本実施例にかかる小物入れ１０を開いた状態が示されている。同図において、小物入れ１０は、全体が上段２０，中段３０，下段４０に分かれており、折り畳むことができるようになっている。小物入れ１０の上端には、吊り紐１２が設けられており、中段３０と下段４０の間の裏側には吊り紐１４が設けられている。なお、小物入れ１０が広がった状態を保持してで吊り下げられるように、上端に保持バー１６が設けられている。
【００１２】
これらのうち、上段２０には、図の左側に帯締め・扇子用のポケット２２が設けられており、右側に帯・ファー用のポケット２４が設けられている。また、上段２０の右上には、着物の所有者（着付け依頼人など）の名前を表示する名札ポケット２６が設けられている。
【００１３】
次の中段３０には、図の左側に帯揚げ用のポケット３２が設けられており、右側に補正タオル・帯板用のポケット３４が設けられている。下段４０には、図の左側に足袋・靴下用のポケット４２が設けられており、中央に肌着・裾除け用のポケット４４が設けられており、右側に帯枕・伊達締め・腰紐・トリプル仮紐・その他用のポケット４６が設けられている。各ポケットには、それぞれ収納する小物の名称が表示されており、上側が開口となっている。
【００１４】
以上のような小物入れ１０は、図２(A)に示すように、着物ハンガー６０に吊り下げられる。すなわち、着物５０や襦袢（図示せず）が吊り掛けられた着物ハンガー６０のフック６２に、小物入れ１０の吊り紐１２を通すことで、小物入れ１０が着物５０の上に重なるように、着物ハンガー６０に吊り下げられる。小物入れ１０は、ビニールなどによって全体が透明となっていることから、小物入れ１０を透かして、着物５０を見ることができる。
【００１５】
この状態で、小物入れ１０の各ポケットに、右上の名札ポケット２６の着付け依頼人の小物を収納する。すなわち、上段２０の左側のポケット２２に帯締め２２Ａや扇子２２Ｂを収納し、右側のポケット２４に帯２４Ａやファー２４Ｂを収納する。また、中段３０の左側のポケット３２に帯揚げ３２Ａを収納し、右側のポケット３４に補正タオル３４Ａや帯板３４Ｂを収納する。更に、下段４０の左側のポケット４２に足袋４２Ａや靴下４２Ｂを収納し、中央のポケット４４に肌着４４Ａや裾除け４４Ｂを収納し、右側のポケット４６に帯枕４６Ａ，伊達締め４６Ｂ，腰紐４６Ｃ，トリプル仮紐４６Ｄ，その他を収納する。上述したように、小物入れ１０は、透明な素材によって構成されているので、どのポケットに何が収納されているかを瞬時に知ることができる。
【００１６】
以上のような小物入れ１０のサイズの一例を示すと、横幅は、着物ハンガー６０に掛けた着物５０の幅にほぼ相当した５５ｃｍとなっている。しかし、小物入れ１０が着物５０の全体を覆う必要はなく、一部を覆う寸法としてもよい。上段２０，中段３０，下段４０の縦幅はそれぞれ４０ｃｍ，３０ｃｍ，３０ｃｍとなっているが、適宜変更してよい。ポケット２２，２４の横幅は、それぞれ１５ｃｍ，４０ｃｍであり、ポケット３２，３４も同様である。ポケット４２，４４，４６の横幅は、それぞれ１５ｃｍ，２０ｃｍ，２０ｃｍとなっている。
【００１７】
次に、本実施例の全体の作用を説明する。図２(B)には、小物入れ１０に各種小物を収納した状態が示されており、矢印Ｆ３方向から見た様子が、図３(A)に示されている。この状態で使用してもよいが、同図(B)に示すように、小物入れ１０の下段４０を矢印Ｆ３Ａで示すように中段３０側に折り曲げ、次に、下端に露出した裏側の吊り紐１４を持って、矢印Ｆ３Ｂで示すように着物ハンガー６０のフック６２に通すようにする。これにより、図３(C)の状態とすることで、吊り紐１２，１４を持つことで、小物入れ１０の全体を運び出したり、箪笥に収納したりすることができる。
【００１８】
着物ハンガー６０に着物を掛けることなく、小物入れ１０のみを折りたたむときは、図３(D)に正面を示し，同図(E)に側面を示すように、着物ハンガー６０の腕を縮めるとともに、同図(C)のように折りたたんだ小物入れ１０の吊り紐１２，１４を、それぞれ反対側から着物ハンガー６０のフック６２に掛けるようにする。なお、同図(B)に示す状態から、吊り紐１４を後ろ側に回して着物ハンガー６０のフック６２に掛けるようにしてもよい。
【００１９】
このように、本実施例によれば、次のような効果が得られる。
（１）着物ハンガー６０に吊るした小物入れ１０に、着付けに必要な多数の小物をまとめて収納することとしたので、着付けの準備や後片付け，小物の品揃えのチェックなどを容易に確実に行うことができ、着付け作業をスムーズに行うことができる。
（２）吊り紐を、小物入れ１０の上側と、裏面にも設けることとしたので、小物入れ１０を折りたたんで簡単に収納することができる。
（３）小物入れ１０を透明としたので、着物ハンガー６０に掛けられている着物５０や、小物入れ１０の各ポケットに収納されている小物が透けて見えるため、小物の収納の様子をすぐに知ることができる。
（４）名札ポケット２６を設けることとしたので、多数の依頼人の品を預かっているような場合でも、取り違えることがない。
【００２０】
＜他の実施形態＞……本考案には数多くの実施形態があり、以上の開示に基づいて多様に改変することが可能である。例えば、次のようなものも含まれる。
（１）上述した実施例で示した各部の素材，大きさ，形状，色彩，模様などは、必要に応じて適宜変更してよい。
（２）前記実施例では、小物入れ１０を開いた状態で吊り下げるために保持バー１６を設けたが、素材によっては、小物入れ１０の上端を折り返すなどの方法で小物入れ１０を開いた状態で吊り下げるようにしてもよい。
（３）小物入れ１０の各ポケットの開口にボタンやファスナーなどを設けるようにしてもよいし、ポケット内側に仕切りを設けたり、マチを設けるようにしてもよい。。
（４）前記実施例では、着付け用小物として、帯，帯締め，扇子，帯揚げ，帯板，足袋，肌着，裾除け，帯枕，伊達締め，腰紐，などの例を示したが、その他の各種の小物を収納するようにしてもよいし、一部を省略するようにしてもよい。
（５）前記実施例では、吊り紐１２，１４によって小物入れ１０を着物ハンガー６０に吊るしたが、フックなど公知の各種の手段を使用してよい。
【産業上の利用可能性】
【００２１】
本考案によれば、多数の小物を収納するポケットを複数段に分割し、段ごとに折りたたむようにしたので、着物の着付けに使用する各種小物を簡便に収納することができ、美容院などにおける和装小物入れに好適である。
【符号の説明】
【００２２】
１０：小物入れ
１２，１４：吊り紐
１６：保持バー
２０：上段
２２，２４：ポケット
２２Ａ：帯締め
２２Ｂ：扇子
２４Ａ：帯
２４Ｂ：ファー
２６：名札ポケット
３０：中段
３２，３４：ポケット
３２Ａ：帯揚げ
３４Ａ：補正タオル
３４Ｂ：帯板
４０：下段
４２，４４，４６：ポケット
４２Ａ：足袋
４２Ｂ：靴下
４４Ａ：肌着
４４Ｂ：裾除け
４６Ａ：帯枕
４６Ｂ：伊達締め
４６Ｃ：腰紐
４６Ｄ：トリプル仮紐
５０：着物
６０：着物ハンガー
６２：フック
【図１】
0003232564.tif 000003
【図２】
0003232564.tif 000004
【図３】
0003232564.tif 000005